(57)【要約】【課題】  就寝中フトンが邪魔になったときや起床後フトンを干したいときに、寝床上の空間にフトンのほぼ全体またはその一部を広げて保持可能とするフトン掛けを提供する。【解決手段】  アームと支柱とから成るフトン支持体複数本をベース部に立設したフトン掛けを寝床に設置し、前記アームにフトンを掛け渡すことにより寝床上の空間にフトンを広げて保持可能とする。【選択図】図１
2010259748.tif 000002
【特許請求の範囲】
【請求項１】
アームと該アームを支える支柱とから成るフトン支持体複数本をベース部に立設したものを、該アームが寝床上の空間に位置するように設置し、該アーム複数本にフトンを掛け渡すことにより、寝床上の空間にフトンのほぼ全体またはその一部分を広げて保持可能とする構造であるフトン掛けであって、該アームのほぼ全体またはその一部分を該支柱内部に収納可能な構造であることを特徴とするフトン掛け。
【請求項２】
請求項１に記載したフトン掛けであって、該アームが、その末端に近い位置に関節を有し、該関節より末端側の部分を該支柱内部に残した状態で、該関節をほぼ直角まで折り曲げることが可能で、該関節より先端側の部分がほぼ水平状態となる構造であること、及び、ほぼ直角に折り曲げた該関節の角度が広がるのを抑止する手段を備えたことを特徴とするフトン掛け。
【請求項３】
請求項１または請求項２のいずれか１項に記載したフトン掛けであって、該寝床上の空間において、該アームどうしを、それぞれの先端付近またはその途中の位置にて連結することが可能なフトン掛け。
【請求項４】
請求項１から請求項３までのいずれか１項に記載したフトン掛けであって、該支柱を該寝床長手方向に倒して、該寝床脇にほぼ横向きに収納することが可能な構造であることを特徴とするフトン掛け。
【請求項５】
請求項１から請求項４までのいずれか１項に記載したフトン掛けであって、該アーム複数本のうち両端に位置する２本についての設置角度が、水平方向において該寝床長手方向に対する直角方向よりわずかに外側、すなわち該寝床頭側に位置する該アームは該寝床頭側、該寝床足側に位置する該アームは該寝床足側、に向いた角度で設置されたことを特徴とするフトン掛け。
【発明の詳細な説明】
【技術分野】
【０００１】  本発明は、寝床上の空間にフトンを掛け渡し広げるためのフトン掛けに関するものである。
【背景技術】
【０００２】
【特許文献１】  特開平９−２９０００７号
【特許文献２】  特開２００４−２０８９８０号
【特許文献３】  実用新案登録番号第３０４３９８８号
【発明の開示】
【発明が解決しようとする課題】
【０００３】  季節の変わり目など気温の変化が大きな夜は、体に掛けるフトンや毛布などを１枚減らすか、または追加したくなることがある。しかしながら、不要となったフトンを寝床の片隅に置くのでは邪魔になり、寝床の外へ運び出すのでは労力が必要であった。また暑い夜など足の部分だけフトンを体から外したい場合もやはりその外した部分のフトンが邪魔になっていた。一方、起床後は、汗を吸ったフトンをそのまま寝床の上に置いておいたのでは湿気がなかなか抜けてくれないが、毎朝寝床からフトンを運び出して干すのは労力の要る作業であった。【０００４】  このような課題に対し、寝床上の空間にフトンを掛けたり置いたりできる器具が有効である。しかしながら従来のもの、例えば前記特許文献１の器具では、その利用方法と構造から棚の大きさが限られてしまうため、フトンは折りたたんで載せることとなり使い勝手が悪い。また起床後のフトン干しとしての利用を考えた場合も、その棚の大きさではフトンを広げるのに寝床の外側までフトンを垂らさなければならず、寝床上の空間を有効に利用できるものではなかった。【０００５】  前記特許文献２の器具は、フトンの長手方向を二つ折りにして垂直に掛けるため、フトンを完全に寝床から離すには掛ける位置がかなり高くなってしまい、その分余計な労力が必要であった。また掛けたフトンが壁となって寝床上への空気の流れを遮断するため、特に寝床の脇を部屋の壁に付けた状態で設置している場合、その反対側の脇にフトンを掛けると寝床上の空気の流れが極端に悪くなる可能性もあり、特に夏の就寝時の使用には向かないものであった。また就寝中の利用者が足の部分だけフトンを体から外したい場合、該器具では対応が困難であった。【０００６】  前記特許文献３の器具は、利用者をフトンの重みから解放するため考案されたものである。そのため設置された下肢部であってもフトンの中程に空間を設ける程度のものであり、暑さ対策としては効果が低いものであった。特に寝床上の空間にフトン全体を浮かすことは不可能であり、就寝時に体に掛けるフトンの数を調整するのに役立つものではなく、起床後にフトンを干すといったことにも利用できるものではなかった。
【課題を解決するための手段】
【０００７】  本発明は、上記課題を解決するためになされたものであり、まず請求項１の発明では、アームと該アームを支える支柱とから成るフトン支持体複数本をベース部に立設したものを、該アームが寝床上の空間に位置するように設置し、該アーム複数本にフトンを掛け渡すことにより、寝床上の空間にフトンのほぼ全体またはその一部分を広げて保持可能とする構造であるフトン掛けであって、該アームのほぼ全体またはその一部分を該支柱内部に収納可能な構造であることを特徴とするフトン掛けを提供する。【０００８】  また請求項２の発明では、該アームが、その末端に近い位置に関節を有し、該関節より末端側の部分を該支柱内部に残した状態で、該関節をほぼ直角まで折り曲げることが可能で、該関節より先端側の部分がほぼ水平状態となる構造であること、及び、ほぼ直角に折り曲げた該関節の角度が広がるのを抑止する手段を備えたことを特徴とするフトン掛けを提供する。【０００９】  また請求項３の発明では、該寝床上の空間において、該アームどうしを、それぞれの先端付近またはその途中の位置にて連結することが可能なフトン掛けを提供する。【００１０】  また請求項４の発明では、該支柱を該寝床長手方向に倒して、該寝床脇にほぼ横向きに収納することが可能な構造であることを特徴とするフトン掛けを提供する。【００１１】  また請求項５の発明では、該アーム複数本のうち両端に位置する２本についての設置角度が、水平方向において該寝床長手方向に対する直角方向よりわずかに外側、すなわち該寝床頭側に位置する該アームは該寝床頭側、該寝床足側に位置する該アームは該寝床足側、に向いた角度で設置されたことを特徴とするフトン掛けを提供する。【００１２】  請求項１の発明を詳細に説明すると次の通りである。前記フトンとは、毛布やタオルケット等も含めた、すなわち体に掛ける寝具の総称である。また前記寝床とは、すなわち洋式のベッドまたは和式の敷布団の寝床である。
【発明の効果】
【００１３】  本発明により、従来その一部しか利用されていなかった寝床上の空間を広く利用し、図１６から図１８に示すように、フトンのほぼ全体またはその一部分を横方向に広げて保持することが可能となる。【００１４】  本発明は、フトンを複数本の該アームにほぼ横方向に掛け渡すといった利用方法が可能なことから、二つ折りに垂直にぶら下げる構造のものとは違い比較的低い位置にフトンを掛ける高さを設定できる。また該支柱は寝床左右脇の片側のみに位置し、そこから延びた該アームの一端は何とも繋がっていない。これらの構造的特徴により例えば、該支柱の設置された寝床脇の反対側の脇に利用者が立ち、広げた両手に寝床上のフトンの長手縁部分を持ち、手前に引き寄せそのまま引っ繰り返すように持ち上げて、複数本の該アームに掛け渡すといった掛け方が可能となる。つまりこれはフトンの移動距離が短く、しかもその間フトンは寝床上か該アーム上のいずれかにその一部が載っている状態であるため、利用者はフトンの全重量を相手にする必要がなく比較的少ない労力でフトン掛けが行えるといった効果がある。【００１５】  本発明は、フトンを掛ける必要がない時は、図３に示すように、該アームを該支柱内部に収納することにより、寝床脇に該支柱が立つのみの、ベッド上の空間を侵すことのないものとなる。【００１６】  本発明は、支柱内部に該アームを収納できる構造とした場合においては、使用時には、該アームをほぼ水平状態に固定できる構造とすることにより、フトンを掛ける際、該アーム先端にフトンが引っ掛かっても該アームが跳ね上がらず使い勝手の良いものとなる。【００１７】  本発明は、該寝床上の空間において、該アームどうしを、それぞれの先端付近またはその途中の位置にて連結することが可能な構造とすることにより、図６および図７に示すように、就寝時に不要なフトンの置場として利用する際、掛けたフトンが安定する形を作りやすくなる。【００１８】  本発明は、未使用時には、該アームをその内部に収納した該支柱を、図４に示すように、該寝床長手方向に倒して、該寝床脇にほぼ横向きに収納することが可能な構造とすることにより、寝床上への出入りについてより支障の少ないものとなる。【００１９】  本発明は、図５に示すように、該アーム複数本のうち両端に位置する２本についての設置角度が、水平方向において該寝床長手方向に対する直角方向よりわずかに外側、すなわち該寝床頭側に位置する該アームは該寝床頭側、該寝床足側に位置する該アームは該寝床足側、に向いた角度で設置することにより、例えば該アームの本数が２本のみであったとしても、掛け渡すフトンの重みによって、該アームそれぞれが内側、すなわち寝床中心に向かって押される力に対し、それとは反対の外側に向かって広がろうとする力が働くため、結果、掛けたフトンは弛みにくくなり、また、該アームのそれぞれが、四角形のフトンの下を斜め方向へと伸びた状態となるので、該フトン縦方向において、より広範囲を支えることが可能となる。
【実施例】
【００２０】  本実施例によるフトン掛けは、図１に示すように、２本のフトン支持体６をベース部９に立設した構造であり、その詳細は次の通りである。【００２１】  先ず、フトン支持体６について説明すると次の通りである。フトン支持体６はアーム部分とそれを支える支柱５とから成る。【００２２】  該アーム部分は、円筒から成るアーム本体１に、やはり円筒から成る延長用アーム２を内蔵し、延長用アーム２をアーム本体１に出し入れすることで該アーム全体の長さが調整可能な構造となっている。また延長用アーム２はアーム本体１内をその円周方向へ回転させることでアーム本体１と固定可能な構造である。また図８および図１２から図１５までに示すようにアーム本体１には、その末端より少し中程の位置にて支柱５との間の角度を９０度から約１８０度まで変えられるように関節３を設けてある。また、延長用アーム２先端には、不意の接触時などのけがの予防を目的とした緩衝体４を設けてある。【００２３】  支柱５は、円筒から成りその内径がアーム本体１の外径より僅かに大きく、設置する該アームが水平方向への回動可能な構造であり、また図３に示すように、その内部にまっすぐに伸ばしたアーム本体１の３分の２ほどを収納できる構造である。支柱５下端付近には、支柱受け７との接続用の縦長の孔２０が設けてある。また図１２から図１５に示すように、支柱５の上端には、該アームの水平方向への回動を係止するために関節３の凸部１１が収まる溝が２箇所刻んである。そのうち溝１５ａは、そこから寝床上の空間へと伸びるアームが、水平方向においてわずかに外側、すなわち該寝床頭側に位置する該アームは該寝床頭側、該寝床足側に位置する該アームは該寝床足側、に向くような位置に設けられており、また他の溝１５ｂは、支柱５の上面中心に寝床長手方向に引いた直線に対し、溝１５ａと対照となる位置に設ける。【００２４】  次に、アーム本体１の支柱５に対する角度の固定方法としては、図１２から図１５に示すように、関節３の凸部１１内部にスペース１３を設けストッパー１４を回動自在に軸着する。これによりアーム本体１における関節３より先の部分を垂直状態から水平状態へと倒していく過程において、ストッパー１４はその自重により関節３とは反対の方向へ回動することとなり、その結果、アーム本体１における関節３より先の部分がほぼ水平状態となった時、凸部１１と凹部１２との間に収まり、使用者が指などによりストッパー１４を解除しない限り、アーム本体１は起こすことが不可能となる。【００２５】  また、本実施例によるフトン掛けは、該アームどうしを、それぞれの先端付近またはその途中の位置にて連結する方法として、図１１に示すように、２本の該フトン支持体の内、寝床足側に位置する側のアーム本体１の先端付近外周最上部に磁石１０を設け、また、寝床頭側に位置する側の延長アーム２にスチール材を用いることにより、必要に応じ前記延長アーム２の適当な位置を磁石１０部分に着けるといった方法とすることで、前記連結の位置を選べるものとする。【００２６】  続いてベース部９について説明すると次の通りである。ベース部９は、マットレスや敷布団等の下に差し込むタイプ、床に立てるタイプ、ベッドのサイドフレ���ム側面に取り付けるタイプなどが考えられるが、本実施例ではマットレス下に差し込むタイプを用いることとする。【００２７】  ベース部９は、支柱受け７と土台８とから成る。図９および図１０に示すように、支柱受け７には、支柱５を軸１６により装着するための孔１７が設けられている。この支柱受け７に孔２０を利用し軸着された支柱５は、他方の支柱５の方向へのみ倒れることが可能な構造であり、また支柱５を起こす際は縦長にあけられた孔２０を利用し、支柱５が支柱受け７内を直下方向へ移動して、支柱受け７下端側に設けた枠に収まることにより、いずれの方向にも倒れることのない状態へとセットされる構造となっている。そして、孔２０の位置と、孔１７の位置と、支柱受け７の形体については、図４に示すように、支柱５を寝床脇に横向きに収納した際に２本の該アームが上下に平行して収まるように調整する。【００２８】  これら構造により本実施例によるフトン掛けは、２本の該アームそれぞれについて、長さの調整が可能であり、また水平方向への回動およびその係止が可能であり、また該支柱内への収納が可能である。そしてさらに、該アームを収納した支柱それぞれは、寝床長手方向に倒れ、ベッドマットレス面より下の位置に横向きに収納可能であるため、本発明品を利用しない時は、ほとんど邪魔にならずに生活できるものとなる。また、２本の該アームの先端それぞれが水平方向に外側に向くように該アームの角度を設定することにより、該アーム本数が２本であっても該フトンのより広い部分を水平に近い状態に広げることが可能となる。【００２９】  また、該アーム部分が寝床上とは反対側に回動し系止できるため、図１９に示すように、寝床左右どちらかの脇にフトンを掛けた場合、シーツの交換などの際、フトンが邪魔にならず便利である。また図２０に示すように、ダブルサイズのフトンの場合、寝床足側の脇に本発明品を設置し、該アームに対し縦方向にフトンを掛け渡すことも可能である。
【産業上の利用可能性】
【００３０】  本発明は、介護分野においての利用可能性がある。また洋服掛けや室内干し用の物干し竿としても利用可能性がある。
【図面の簡単な説明】
【００３１】
【図１】  本発明によるフトン掛け一実施例の斜視図である。
【図２】  本発明一設置例を寝床足側より見た図。
【図３】  図２の状態から、支柱内にアームを収納した状態を寝床足側より見た図。
【図４】  図３の状態から支柱を寝床脇に倒して収納した状態を寝床右側より見た図。
【図５】  図２の状態を寝床上空より見た図。
【図６】  アームどうしを連結した状態の一実施例を寝床上空より見た図。
【図７】  アームどうしを連結した状態の一実施例を寝床上空より見た図。
【図８】  アーム部分側面図。
【図９】  支柱受け背面図。
【図１０】  支柱受けへの支柱取付図。
【図１１】  アーム連結構造部分の拡大斜視図。
【図１２】  図１３におけるＡ線による断面図。
【図１３】  アームが水平状態での関節部分の平面図。
【図１４】  図１５におけるＢ線による断面図。
【図１５】  アームが垂直状態での関節部分の背面図。
【図１６】  図５に示した通常のアーム設置状態における本発明の一使用例を寝床横側から見た図。
【図１７】  図６に示したアームを連結した状態での一使用例。
【図１８】  図７に示したアームを連結した状態での一使用例。
【図１９】  アームを寝床右側脇から寝床外に向け設置した状態での一使用例。
【図２０】  アームを寝床足側脇から寝床外に向け設置した状態での一使用例。
【符号の説明】
【００３２】  １    アーム本体
２    延長用アーム
３    関節
４    緩衝体
５    支柱
６    フトン支持体
７    支柱受け
８    土台
９    ベース部
１０  磁石
１１  関節凸部
１２  関節凹部
１３  スペース
１４  ストッパー
１５  溝
１６  軸
１７  孔
１８  ベッドマットレス
１９  ベッドフレーム
２０  孔
【図１】
2010259748.tif 000003
【図２】
2010259748.tif 000004
【図３】
2010259748.tif 000005
【図４】
2010259748.tif 000006
【図５】
2010259748.tif 000007
【図６】
2010259748.tif 000008
【図７】
2010259748.tif 000009
【図８】
2010259748.tif 000010
【図９】
2010259748.tif 000011
【図１０】
2010259748.tif 000012
【図１１】
2010259748.tif 000013
【図１２】
2010259748.tif 000014
【図１３】
2010259748.tif 000015
【図１４】
2010259748.tif 000016
【図１５】
2010259748.tif 000017
【図１６】
2010259748.tif 000018
【図１７】
2010259748.tif 000019
【図１８】
2010259748.tif 000020
【図１９】
2010259748.tif 000021
【図２０】
2010259748.tif 000022